【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ピクチャパラメータセット（ＰＰＳ）中で、パレット予測子がＰＰＳレベルパレット予測子初期化子を使用して生成されるべきであることを示す第１のシンタックス要素を受信することと、
前記第１のシンタックス要素が、前記パレット予測子が前記ＰＰＳレベルパレット予測子初期化子を使用して生成されるべきであることを示すことに応答して、前記ＰＰＳ中で、前記ＰＰＳ中に含まれる前記ＰＰＳレベルパレット予測子初期化子の数が０に等しいことを示す第２のシンタックス要素を受信することと、
前記第２のシンタックス要素が、前記ＰＰＳ中に含まれるＰＰＳレベルパレット予測子初期化子の前記数が０に等しいことを示すことに応答して、１つまたは複数のパレットテーブルエントリ値を受信することと、
前記１つまたは複数のパレットテーブルエントリ値を含むパレットテーブルを生成することと、
前記パレットテーブルに基づいてビデオデータのブロックを復号することと
を備える、方法。
【請求項２】
シーケンスパラメータセット（ＳＰＳ）中で、パレット予測子初期化が有効にされることを示す第３のシンタックス要素を受信することと、
前記ＳＰＳ中で、１つまたは複数のＳＰＳレベルパレット予測子初期化子を受信することと
をさらに備える、請求項１に記載の方法。
【請求項３】
前記ＳＰＳ中で、前記ＳＰＳ中に含まれるＳＰＳレベルパレット予測子初期化子の数を示す第４のシンタックス要素を受信すること
をさらに備える、請求項２に記載の方法。
【請求項４】
前記第１のシンタックス要素は、前記パレット予測子が前記ＳＰＳレベルパレット予測子エントリのいずれをも使用せずに生成されるべきであることをさらに示す、請求項２に記載の方法。
【請求項５】
ビデオデータを符号化する方法であって、前記方法は、
符号化ビデオデータのビットストリーム中のピクチャパラメータセット（ＰＰＳ）シンタックス構造中に含めるために、パレット予測子がＰＰＳレベルパレット予測子エントリを使用して生成されるべきであることを示す第１のシンタックス要素を生成することと、
前記パレット予測子が前記ＰＰＳレベルパレット予測子初期化子を使用して生成されることに応答して、前記ＰＰＳシンタックス構造中に含めるために、前記ＰＰＳシンタックス構造中に含まれるＰＰＳレベルパレット予測子エントリの数が０に等しいことを示す第２のシンタックス要素を生成することと、
前記ＰＰＳシンタックス構造中に含まれるＰＰＳレベルパレット予測子初期化子の前記数が０に等しいことに応答して、前記ＰＰＳシンタックス構造中に含めるために、１つまたは複数のパレットテーブルエントリ値を生成することと、
前記第１のシンタックス要素、前記第２のシンタックス要素、および前記１つまたは複数のパレットテーブルエントリ値を含む符号化ビデオデータのビットストリームを出力することと
を備える、方法。
【請求項６】
ビデオデータを復号するためのデバイスであって、前記デバイスが、
前記ビデオデータを記憶するように構成されたメモリと、
１つまたは複数のプロセッサと
を備え、前記１つまたは複数のプロセッサは、
ピクチャパラメータセット（ＰＰＳ）中で、パレット予測子がＰＰＳレベルパレット予測子初期化子を使用して生成されるべきであることを示す第１のシンタックス要素を受信することと、
前記第１のシンタックス要素が、前記パレット予測子が前記ＰＰＳレベルパレット予測子初期化子を使用して生成されるべきであることを示すことに応答して、前記ＰＰＳ中で、前記ＰＰＳ中に含まれる前記ＰＰＳレベルパレット予測子初期化子の数が０に等しいことを示す第２のシンタックス要素を受信することと、
前記第２のシンタックス要素が、前記ＰＰＳ中に含まれるＰＰＳレベルパレット予測子初期化子の前記数が０に等しいことを示すことに応答して、１つまたは複数のパレットテーブルエントリ値を受信することと、
前記１つまたは複数のパレットテーブルエントリ値を含むパレットテーブルを生成することと、
前記パレットテーブルに基づいてビデオデータのブロックを復号することと
を行うように構成された、デバイス。
【請求項７】
前記１つまたは複数のプロセッサは、
シーケンスパラメータセット（ＳＰＳ）中で、パレット予測子初期化が有効にされることを示す第３のシンタックス要素を受信することと、
前記ＳＰＳ中で、１つまたは複数のＳＰＳレベルパレット予測子初期化子を受信することと
を行うようにさらに構成された、請求項６に記載のデバイス。
【請求項８】
前記１つまたは複数のプロセッサが、
前記ＳＰＳ中で、前記ＳＰＳ中に含まれるＳＰＳレベルパレット予測子初期化子の数を示す第４のシンタックス要素を受信する
ようにさらに構成された、請求項７に記載のデバイス。
【請求項９】
前記第１のシンタックス要素は、前記パレット予測子が前記ＳＰＳレベルパレット予測子エントリのいずれをも使用せずに生成されるべきであることをさらに示す、請求項７に記載のデバイス。
【請求項１０】
前記第３のシンタックス要素が１ビットフラグを備える、請求項７に記載のデバイス。
【請求項１１】
前記第１のシンタックス要素が１ビットフラグを備える、請求項６に記載のデバイス。
【請求項１２】
前記１つまたは複数のプロセッサが、
ビデオデータの前記ブロックのサンプルのために、インデックスを受信することと、
前記サンプルのための前記インデックスに対応する前記１つまたは複数のパレットテーブルエントリ値のうちの１つを使用してビデオデータの前記ブロックを再構築することと
を行うようにさらに構成された、請求項７に記載のデバイス。
【請求項１３】
前記１つまたは複数のプロセッサは、
前記第２のシンタックス要素が、前記ＰＰＳ中に含まれるＰＰＳレベルパレット予測子初期化子の前記数が０に等しいことを示すことに基づいて、
（ｉ）パレット予測子がモノクロームエントリを含むかどうかの指示、
（ｉｉ）ルーマパレット予測子エントリのためのビット深度の指示、および
（ｉｉｉ）クロマパレット予測子エントリのためのビット深度の指示、
のうちの１つまたは複数が前記ＰＰＳ中に存在しないと決定する
ようにさらに構成された、請求項６に記載のデバイス。
【請求項１４】
ビデオデータを符号化するためのデバイスであって、前記デバイスが、
前記ビデオデータを記憶するように構成されたメモリと、
１つまたは複数のプロセッサと
を備え、前記１つまたは複数のプロセッサは、
符号化ビデオデータのビットストリーム中のピクチャパラメータセット（ＰＰＳ）シンタックス構造中に含めるために、パレット予測子がＰＰＳレベルパレット予測子エントリを使用して生成されるべきであることを示す第１のシンタックス要素を生成することと、
前記パレット予測子が前記ＰＰＳレベルパレット予測子初期化子を使用して生成されることに応答して、前記ＰＰＳシンタックス構造中に含めるために、前記ＰＰＳシンタックス構造中に含まれるＰＰＳレベルパレット予測子エントリの数が０に等しいことを示す第２のシンタックス要素を生成することと、
前記ＰＰＳシンタックス構造中に含まれるＰＰＳレベルパレット予測子初期化子の前記数が０に等しいことに応答して、前記ＰＰＳシンタックス構造中に含めるために、１つまたは複数のパレットテーブルエントリ値を生成することと、
前記第１のシンタックス要素、前記第２のシンタックス要素、および前記１つまたは複数のパレットテーブルエントリ値を含む符号化ビデオデータのビットストリームを出力することと
を行うように構成された、デバイス。
【請求項１５】
１つまたは複数のプロセッサによって実行されたとき、前記１つまたは複数のプロセッサに、請求項１〜請求項５のうちのいずれかに記載の方法を実行させる命令を記憶するコンピュータ可読記憶媒体。